(57)【要約】【課題】照明器具の組み立て作業が容易となる照明器具を提供する。【解決手段】ＬＥＤ２６Ａと、前記ＬＥＤ２６Ａの光を制御する反射鏡２８と、を有したＬＥＤモジュール２４を備え、前記ＬＥＤモジュール２４に配線２５が接続されるトンネル照明器具１であって、前記反射鏡２８は、前記配線２５Ｂを挟持して保持する配線保持部３４を有する。【選択図】図３
2018147774.tif 000002
【特許請求の範囲】
【請求項１】
発光素子と、前記発光素子の光を制御する光学部材と、を有した発光素子モジュールを備え、前記発光素子モジュールに配線が接続される照明器具であって、
前記光学部材は、前記配線を挟持して保持する保持部を有する
ことを特徴とする照明器具。
【請求項２】
前記保持部は、挟持箇所とは異なる箇所に、前記挟持箇所で挟持されている配線の抜けを防止する爪部を有する
ことを特徴とする請求項１に記載の照明器具。
【請求項３】
前記保持部で保持された前記配線が前記光学部材の上下幅が最大となる箇所より内側を通って延在している
ことを特徴とする請求項１または請求項２に記載の照明器具。
【発明の詳細な説明】
【技術分野】
【０００１】
本発明は、照明器具に関する。
【背景技術】
【０００２】
従来、複数のＬＥＤを基板に並べたＬＥＤモジュールを有し、当該ＬＥＤモジュールを器具本体に組み込んだ照明器具が知られている（例えば、特許文献１参照）。
ＬＥＤモジュールには配線が接続され、該配線を通じてＬＥＤモジュールに電力が供給される。照明器具の組み立てにおいては、配線がＬＥＤモジュールの放射光を遮らないように照明器具の内部で配線が固定される。
【先行技術文献】
【特許文献】
【０００３】
【特許文献１】特開２０１４−２３５８２４号公報
【発明の概要】
【発明が解決しようとする課題】
【０００４】
しかしながら、照明器具の組み立て時には、配線を固定するための部材を別途に準備する必要があるなど、作業が煩雑であった。
本発明は、組み立て作業が容易な照明器具を提供することを目的とする。
【課題を解決するための手段】
【０００５】
発光素子と、前記発光素子の光を制御する光学部材と、を有した発光素子モジュールを備え、前記発光素子モジュールに配線が接続される照明器具であって、前記光学部材は、前記配線を挟持して保持する保持部を有することを特徴とする。
【０００６】
本発明は、上記照明器具において、前記保持部は、挟持箇所とは異なる箇所に、前記挟持箇所で挟持されている配線の抜けを防止する爪部を有することを特徴とする。
【０００７】
本発明は、上記照明器具において、前記保持部で保持された前記配線が前記光学部材の上下幅が最大となる箇所より内側を通って延在していることを特徴とする。
【発明の効果】
【０００８】
本発明によれば、照明器具の組み立て作業が容易となる。
【図面の簡単な説明】
【０００９】
【図１】本発明の実施形態に係るトンネル照明器具の設置状態を示す図である。
【図２】トンネル照明器具を示す図であり、（Ａ）は正面図、（Ｂ）は側面図、（Ｃ）は底面図である。
【図３】ＬＥＤモジュールの構成を結線状態とともに示す図である。
【図４】反射鏡が備える固定部の拡大図である。
【図５】配線保持部の構成を示す図であり、（Ａ）は図４のＡ−Ａ断面図、（Ｂ）は図４のＢ−Ｂ断面図である。
【発明を実施するための形態】
【００１０】
以下、図面を参照して本発明の実施形態について説明する。なお、本実施形態においては、照明器具の一例として、トンネル照明器具を例示する。
図１は、本実施形態に係るトンネル照明器具１の設置状態を示す図である。
トンネル照明器具１は、図１に示すように、道路５４に沿って延びるトンネル５０の入口付近の壁面、または天井面（本実施形態においては天井面５２）に設置される。トンネル照明器具１は、設置箇所からトンネル５０及び道路５４を照明する。
【００１１】
図２は、トンネル照明器具１を示す図であり、図２（Ａ）は正面図、図２（Ｂ）は側面図、図２（Ｃ）は底面図である。なお、図２(Ａ)の正面図において、紙面の上下左右に見える方向を「上」「下」「左」「右」と規定する。同様に、図２(Ｂ)の側面図において、照射光を通す前面ガラス６がはめ込まれている側を「前」、トンネルに取り付ける金具１６がある側を「後」と規定する。
トンネル照明器具１は、図２（Ａ）に示すように、照射光を通す開口部４が正面に設けられた器具本体２を有している。開口部４には、前面ガラス６が嵌め込まれており、前面ガラス６は、器具本体２の上面２Ａに一対の蝶番８で開閉自在に結合され、器具本体２の底面２Ｂに一対のラッチ１０で留められている。器具本体２の背面２Ｃには、放熱フィン１４と、トンネル照明器具１をトンネル内に設置するための金具１６と、が設けられている。
トンネル照明器具１は、開口部４を道路５４の路面５４Ａに対面させた状態で、トンネル５０内に設置される。トンネル照明器具１から放射された光の内、左右に広がる光はトンネルの車線に沿った方向、上下に広がる光は車線と直行する車幅方向に広がって照射される。
【００１２】
器具本体２の内部には、電源装置１８と、光源部２０と、が収められている。
電源装置１８は、光源部２０を駆動する直流電流を商用電源から生成する電力変換装置を有し、当該直流電流を光源部２０に供給する。
光源部２０は、取付板２２と、複数（図示例では８つ）のＬＥＤモジュール２４と、を有している。
取付板２２は、複数のＬＥＤモジュール２４の取り付けベースとなる矩形の板材であり、熱伝導性に優れた材料で形成されている。取付板２２は、放熱フィン１４と熱的に結合した状態で器具本体２の内部に固定される。
本実施形態では、取付板２２には、複数個（図示例では４つ）が横並びに並んだＬＥＤモジュール２４の２つの列が、上下に並列に設けられている。換言すれば、取付板２２には、ＬＥＤモジュール２４が格子状に配置されている。
【００１３】
図３は、ＬＥＤモジュール２４の構成を結線状態とともに示す図である。なお、図３において、紙面の上下左右に見える方向を「上」「下」「左」「右」と規定する。
同図に示すように、ＬＥＤモジュール２４は、発光部２６と、反射鏡２８とを、有している。
発光部２６は、略円形の面状に形成されており、発光素子の一例たるチップオンボード（ＣＯＢ）型のＬＥＤ２６Ａによって構成されている。
反射鏡２８は、発光部２６の光を光学制御する光制御部材であり、底部２９と、反射面３０と、固定部３２と、を備えている。
底部２９は、発光部２６を露出する開口２９Ａを有した略矩形板状部である。
反射面３０は、発光部２６の光を制御する制御面であり、発光部２６を包囲する形状を成している。
固定部３２は、反射鏡２８を取付板２２にねじ止め固定される固定部である。固定部３２には、ねじ止め用のＵ字溝３２Ａが設けられており、係る固定部３２が反射鏡２８の左右のそれぞれに張り出すように設けられている。
本実施形態の反射鏡２８は、樹脂材や金属材などから金型成型され、反射面３０には、必要に応じて金属メッキ層や金属蒸着膜、誘電多層膜が設けられている。
【００１４】
これらのＬＥＤモジュール２４は、図２に示すように、横一列に並んだそれぞれが配線２５によって電源装置１８に電気的に直列接続されている。より具体的には、配線２５は、電源装置１８からみて先頭のＬＥＤモジュール２４から後端のＬＥＤモジュール２４までの各々を順に接続する配線２５Ａと、直列接続の後端のＬＥＤモジュール２４から電源装置１８に向けて延びる配線２５Ｂと、を備えている。この配線２５Ｂは、後端のＬＥＤモジュール２４からＬＥＤモジュール２４の並びに沿って延び、先頭のＬＥＤモジュール２４の側で配線２５Ａと結束される。
【００１５】
この配線構成においては、直列接続の後端のＬＥＤモジュール２４から先端のＬＥＤモジュール２４にかけた比較的長い距離に亘って配線２５Ｂが延在する。このため、配線２５Ｂが器具本体２の内部で固定されなければ、配線２５ＢがＬＥＤモジュール２４の反射鏡２８の上を横断するなどし、反射鏡２８による光制御に悪影響を及ぼす。
そこで、このトンネル照明器具１では、配線２５Ｂを、その経路の途中で簡単に固定できるようになっている。
【００１６】
図４は、反射鏡２８が備える上述した固定部３２の拡大図である。
固定部３２の各々には、図４、及び前掲図３に示すように、配線保持部３４が設けられている。配線保持部３４は、固定部３２から外側に突出して設けられており、ＬＥＤモジュール２４の並びに沿って延びる配線２５Ｂを経路途中で保持する。
配線保持部３４が固定部３２に設けられることによって、反射鏡２８を樹脂の射出成型などで量産する場合においても、光学系のゆがみが生じにくくなる。このため、反射面３０などの光学制御箇所を配線保持部３４の位置を気にせずに設計した後でも、設計変更を加えることなく、簡単に配線保持部３４を設けることができる。
【００１７】
図５は配線保持部３４の構成を示す図であり、図５（Ａ）は図４のＡ―Ａ断面図であり、図５（Ｂ）は図４のＢ−Ｂ断面図である。
配線保持部３４は、配線２５Ｂを挟持する一対の挟持片３６Ａ、３６Ｂを有している。これら挟持片３６Ａ、３６Ｂの間隔αは、配線２５Ｂの太さよりも狭くなっており、挟持片３６Ａ、３６Ｂの間に挿入された配線２５Ｂを弾性力によって挟み込む（クリップする）。
本実施形態の配線２５（２５Ａ、２５Ｂ）は、図５（Ａ）、及び図５（Ｂ）に示すように、リード線４０を、弾力性を有した樹脂製の保護チューブ４１で被覆した構成となっている。したがって、挟持片３６Ａ、３６Ｂの間に配線２５Ｂを挟むと、これら挟持片３６Ａ、３６Ｂが配線２５Ｂの保護チューブ４１にめり込むようにして配線２５Ｂを締め付けるので、配線２５Ｂが強固に保持される。
【００１８】
図４、及び図５に示すように、配線保持部３４には、爪部４３が設けられている。爪部４３は、挟持片３６Ａ、３６Ｂで挟持されている配線２５Ｂが、これら挟持片３６Ａ、３６Ｂの開放端３９（図５（Ａ））から抜け出すことを抑える部材である。本実施形態の爪部４３は、配線保持部３４において、配線２５Ｂが挟持される挟持箇所から外れた箇所Ｋ（すなわち、挟持箇所とは異なる箇所Ｋ）に設けられている。具体的には、図４、及び図５に、配線保持部３４において、挟持片３６Ａ、３６Ｂの一方（図示例では挟持片３６Ａ）が他方よりも、配線２５Ｂの経路に沿った長さが長くなっている。そして、当該一方の側の挟持片３６Ａ、３６Ｂには、対向位置に他方が存在しない箇所Ｋ、すなわち、挟持箇所から外れた箇所Ｋに、上述の爪部４３が設けられている。この箇所Ｋにおいて、爪部４３は、挟持片３６Ａ、３６Ｂの間に延出し、これら挟持片３６Ａ、３６Ｂに挟持された配線２５Ｂの抜けを抑える。
【００１９】
このように、配線保持部３４において配線２５Ｂが挟持される挟持箇所と爪部４３が設けられた箇所Ｋが異なっていることにより、トンネル照明器具１の組立時に配線２５Ｂの固定作業が楽になる。すなわち、配線保持部３４の周りに他の部材が取り付けられて狭くなっている場合でも、配線２５Ｂを上から指1本で押す程度で配線２５Ｂを配線保持部３４に狭持させることができる。また、本実施形態では、反射鏡２８は、樹脂製で射出成形により一体成形されているが、反射鏡２８を製造するための金型も比較的簡易になり、製造歩留まりも良い。
【００２０】
また、爪部４３により、配線保持部３４に配線２５Ｂが、より強固に保持される。
特に、トンネル照明器具１は、道路５４を照明するために、トンネル５０の天井面５２に取り付けられるので、挟持片３６Ａ、３６Ｂの開放端３９が配線２５Ｂよりも重力方向下方に位置し、配線２５Ｂの自重などにより抜け落ちることが考えられる。このような場合であっても、爪部４３が開放端３９からの抜けを防止するように配線２５Ｂを押さえることで、配線２５Ｂの抜け落ちが防止される。
【００２１】
図３に示すように、配線保持部３４は、反射鏡２８の上下方向（ＬＥＤモジュール２４の並びに垂直な方向）の最大幅Ｍの内側に設けられている。そして、配線保持部３４に保持された配線２５Ｂは、反射鏡２８の最大幅Ｍからはみ出すことなく反射面３０の外側を通って、隣のＬＥＤモジュール２４の反射鏡２８に延び、当該反射鏡２８の配線保持部３４に保持されることとなる。このように、配線２５Ｂが反射鏡２８の最大幅Ｍからはみ出すことなく反射面３０の外側を通って隣の反射鏡２８に延びることで、配線保持部３４から配線２５Ｂが外れたとしても、反射鏡２８の中に配線２５Ｂが入り込み難くなる。
【００２２】
本実施形態の反射鏡２８は、発光部２６を中心に点対称な２箇所に配線保持部３４が設けられているので、反射鏡２８が発光部２６を中心に１８０度回転させた状態で取り付けられる場合や、配線２５Ｂが発光部２６を挟んだ反対側で延びる場合でも、同一の反射鏡２８を用いて配線２５Ｂを保持することができる。
【００２３】
以上説明したように、本実施形態によれば、次のような効果を奏する。
すなわち、本実施形態では、ＬＥＤモジュール２４の反射鏡２８が、配線２５Ｂを挟持して保持する配線保持部３４を備える。これにより、トンネル照明器具１の組み立て時において、作業者は、配線２５Ｂを固定するための別途の部材等を用意することなく、配線２５Ｂを、その経路の途中で配線保持部３４に挟み込むだけで簡単に固定できる。
【００２４】
また本実施形態では、配線保持部３４は、挟持箇所とは異なる箇所Ｋに、挟持箇所の開放端３９からの配線２５Ｂの抜けを防止する爪部４３を有する。
この爪部４３により、配線保持部３４に配線２５Ｂが、より強固に保持される。
【００２５】
また本実施形態では、配線保持部３４で保持された配線２５Ｂが反射鏡２８の下側を通って延びる。これにより、配線保持部３４から配線２５Ｂが外れた場合でも、反射鏡２８の中に配線２５Ｂが入り込み難くなり、反射鏡２８による光制御に悪影響を及ぼしにくくなる。さらに、配線２５Ｂが反射鏡２８の最大幅Ｍからはみ出すことなく設けられるため、光源部２０を小さく設けることができる。
【００２６】
なお、上述した実施形態は、あくまでも本発明の一態様の例示であり、本発明の要旨の範囲において任意に変形、及び応用が可能である。
【００２７】
例えば、上述した実施形態において、トンネル照明器具１が備えるＬＥＤモジュール２４の数は任意である。
【００２８】
また例えば、上述した実施形態において、ＬＥＤモジュール２４が光学部材として反射鏡２８を備える場合を例示したが、反射鏡２８に代えてレンズでもよい。この場合、配線保持部３４は、該レンズに設けられる。
【００２９】
また例えば、上述した実施形態において、配線保持部３４が配線２５Ｂを保持する場合を例示したが、これに限らず、配線２５Ａを保持してもよい。
【００３０】
また本発明は、トンネル照明器具１に限らず、任意の照明器具に適用できる。
【符号の説明】
【００３１】
１  トンネル照明器具（照明器具）
２  器具本体
１８  電源装置
２０  光源部
２２  取付板
２４  ＬＥＤモジュール（発光素子モジュール）
２５、２５Ａ、２５Ｂ  配線
２６  発光部
２６Ａ  ＬＥＤ（発光素子）
２８  反射鏡
３０  反射面
３２  固定部
３４  配線保持部（保持部）
３６Ａ、３６Ｂ  挟持片
４１  保護チューブ
４３  爪部
α  間隔
【図１】
2018147774.tif 000003
【図２】
2018147774.tif 000004
【図３】
2018147774.tif 000005
【図４】
2018147774.tif 000006
【図５】
2018147774.tif 000007